(57)【特許請求の範囲】
【請求項１】
熱源を有する調理器本体と、前記調理器本体の上面に配置された被加熱物を載置するためのトッププレート部と、前記調理器本体の上面手前または前面に配置された加熱調理器の操作をするための操作部と、音声報知のためのスピーカーと、前記調理器本体の内部で前記操作部から離れた位置に配置された前記スピーカーが取り付けられたほぼ密閉された箱体と、を備え、
前記スピーカーは、前記箱体の外郭の一部を形成するように前記箱体に取り付けるとともに、
前記箱体を加熱調理により温度上昇する前記トッププレート部の直下に所定の隙間を設けて配置し、前記スピーカーを前記箱体の最外郭上面に対して離し凹んだ位置に取り付けた加熱調理器。
【請求項２】
前記箱体の外郭面の全てを、前記調理器本体の構成部品に対して浮かした状態で取り付けた請求項１に記載の加熱調理器。
【請求項３】
前記箱体の外郭面が少なくとも二つの部品から形成されており、前記部品間の合わせ位置が外郭面の中央付近ではなく稜近傍となる構成とした請求項１に記載の加熱調理器。
【請求項４】
前記箱体の外郭面のうち前記スピーカーのボイスコイルと対向する面を一部品で形成する請求項１に記載の加熱調理器。
【発明の詳細な説明】
【技術分野】
【０００１】
本発明は、調理器本体内にスピーカーを備えた加熱調理器に関するものである。
【背景技術】
【０００２】
従来、この種の加熱調理器は、調理器本体の前面もしくは上面手前に設けられた操作部にスピーカーを配置し、操作部を構成するケース等の部品に向けて音声を放射する構成のものがある（例えば、特許文献１参照）。
【０００３】
図６および図７は、特許文献１に記載された従来の誘導加熱調理器の操作部の概略構成を示すものである。
【０００４】
図６に示すように、スピーカー１７は、操作基板１４を保持するための操作基板ホルダー２２の下側に、操作基板ホルダー２２の下面に向けて音声を放射する方向にスピーカー固定部品２１を用いて取り付けられている。
【０００５】
前記のように構成することで、加熱調理器の外郭に近い操作部の共振効果により音質の向上を図っていた。
【先行技術文献】
【特許文献】
【０００６】
【特許文献１】特開２０１０−１８６７２０号公報
【発明の概要】
【発明が解決しようとする課題】
【０００７】
しかしながら、前記従来の構成では、音声報知時の操作ボタンや表示部等の操作面の振動が大きく、使用者がボタン操作を行った際に指先から振動が伝わり違和感を与えるという課題を有していた。
【０００８】
また、操作基板上の電子部品が音声報知の度に振動を受けることとなり、操作部の信頼性が低下するという課題も有していた。
【０００９】
本発明は、前記従来の課題を解決するもので、音声報知時に発生する操作部の振動を低減して、使用者の違和感を軽減するとともに操作部の信頼性を向上した加熱調理器を提供することを目的とする。
【課題を解決するための手段】
【００１０】
前記従来の課題を解決するために、本発明の加熱調理器は、熱源を有する調理器本体と、前記調理器本体の上面に配置された被加熱物を載置するためのトッププレート部と、前記調理器本体の上面手前または前面に配置された加熱調理器の操作をするための操作部と、音声報知のためのスピーカーと、前記調理器本体の内部で前記操作部から離れた位置に配置された前記スピーカーが取り付けられたほぼ密閉された箱体と、を備え、前記スピーカーは、前記箱体の外郭の一部を形成するように前記箱体に取り付けるとともに、前記箱体を加熱調理により温度上昇する前記トッププレート部の直下に所定の隙間を設けて配置し、前記スピーカーを前記箱体の最外郭上面に対して離し凹んだ位置に取り付けたものである。
【００１１】
これによって、音声報知時において、スピーカーの操作部や操作基板への振動が軽減されることにより、使用者の違和感を軽減することができる。また、スピーカー及び箱体の音声報知部と使用者との間の遮蔽物がトッププレートのみとなり、音質の確保が容易となる。また、使用者に対する箱体の共振面の位置を変えることなく、スピーカーのみをトッププレート等の高温物から離すことが可能となり、必要な音質を確保しつつスピーカーへの熱負荷を軽減できる。
【発明の効果】
【００１２】
本発明の加熱調理器は、操作部から離れた位置にスピーカーを配置することで音声報知時の操作部の振動が軽減されることで、使用者の違和感を軽減するとともに操作部の信頼性を向上させることができる。
【００１３】
また、スピーカーをほぼ密閉された箱体の外郭の一部を形成するように箱体に取り付け
ることで、箱体および箱体内の空気の共振効果により、音が響き難い調理器本体内部にスピーカーを配置しても十分な音質を確保できるという効果がある。また、スピーカー及び箱体の音声報知部と使用者との間の遮蔽物がトッププレートのみとなり、音質の確保が容易となる。また、使用者に対する箱体の共振面の位置を変えることなく、スピーカーのみをトッププレート等の高温物から離すことが可能となり、必要な音質を確保しつつスピーカーへの熱負荷を軽減できる。
【図面の簡単な説明】
【００１４】
【図１】本発明の実施の形態１における加熱調理器の全体斜視図
【図２】本発明の実施の形態１における加熱調理器の天面を取り外した状態での斜視図
【図３】本発明の実施の形態１における加熱調理器のスピーカーが取り付けられた箱体の斜視図
【図４】本発明の実施の形態１における加熱調理器のスピーカーが取り付けられた箱体の中央断面図
【図５】本発明の実施の形態１における加熱調理器の中央断面図
【図６】従来の加熱調理器のスピーカー配置構成を示す操作部の分解図
【図７】従来の加熱調理器のスピーカー配置構成を示す操作部の中央断面図
【発明を実施するための形態】
【００１５】
第１の発明は、熱源を有する調理器本体と、前記調理器本体の上面に配置された被加熱物を載置するためのトッププレート部と、調理器本体の上面手前または前面に配置された加熱調理器の操作をするための操作部と、音声報知のためのスピーカーと、前記調理器本体の内部で操作部から離れた位置に配置されたスピーカーが取り付けられたほぼ密閉された箱体と、を備え、前記スピーカーは、前記箱体の外郭の一部を形成するように前記箱体に取り付けるとともに、前記箱体を加熱調理により温度上昇する前記トッププレート部の直下に所定の隙間を設けて配置し、前記スピーカーを前記箱体の最外郭上面に対して離し凹んだ位置に取り付けた構成としたものである。これにより、音声報知時の操作部の振動が軽減されることで、使用者の違和感を軽減するとともに操作部の信頼性を向上させることができる。また、音が響き難い調理器本体の内部にスピーカーを配置しても箱体および箱体内に密閉された空気の共振効果により十分な音質を確保することが可能となる。
【００１６】
また、スピーカーおよび箱体の音声報知部と使用者との間の遮蔽物がトッププレートのみとなり、音質の確保が容易となる。
【００１７】
また、使用者に対する箱体の共振面の位置を変えることなく、スピーカーのみをトッププレート等の高温物から離すことが可能となり、必要な音質を確保しつつスピーカーへの熱負荷を軽減できる。
【００１８】
第２の発明は、第１の発明に加えて前記箱体の外郭面の全てを、前記調理器本体の構成部品に対して浮かした状態で取り付け、箱体の外郭面を面接触させずに固定したものである。これにより、箱体の外郭面の全てが共振可能となるため、箱体の共振効果が向上し音質の確保が容易となる。
【００１９】
第３の発明は、第１の発明に加え前記箱体の外郭面が少なくとも二つの部品から形成されており、前記部品間の合わせ位置が外郭面の中央付近ではなく稜近傍となる構成としたものである。これにより、箱体外郭面の共振効果が向上し、音質の確保が容易となる。
【００２０】
第４の発明は、第１の発明に加え前記箱体の外郭面のうち前記スピーカーのボイスコイルと対向する面を一部品で形成する構成としたものである。これにより、スピーカーの振動を最も受けるボイスコイル対向面が振動しやすい構成となることで、箱体の共振効果が向上し音質の確保が容易となる。
【００２１】
以下、本発明の実施の形態について、図面を参照しながら説明する。なお、この実施の形態によって本発明が限定されるものではない。
【００２２】
（実施の形態１）
図１は本発明の実施の形態１における加熱調理器の全体斜視図であり、図２は本発明の実施の形態１における加熱調理器の天面を取り外した状態での斜視図である。
【００２３】
図１において、加熱調理器は熱源を有する調理器本体２と、調理器本体２の上面に配置された被加熱物を載置するためのトッププレート部１と、トッププレート部１の手前配置された操作部３で構成されている。
【００２４】
図２において、トッププレート部１と操作部３からなる天面の直下には加熱コイル９と、後部加熱源１０と、操作基板４と、スピーカー７が取り付けられた箱体８と、が配置されている。前記の加熱コイル９と、後部加熱源１０と、操作基板４と、箱体８と、は各々が単独で調理器本体２に取り付けられている。操作基板４には操作ボタン５や表示パネル６等の電子部品が実装されている。
【００２５】
以上の構成の作用として、スピーカー７と操作部３とを離して調理器本体２に配置することで音声報知時の操作部３や操作基板４の振動が軽減されることにより、使用者の操作時の違和感が軽減されるとともに操作部３の信頼性の向上が可能となる。
【００２６】
また箱体８の共振効果により音が響き難い調理器本体２の内部にスピーカー７を配置しても十分な音質を確保することが可能となる。またスピーカー７および箱体８の音声報知部と使用者との間の遮蔽物がトッププレート部１のみとなり音質の確保が容易となる。
【００２７】
図３は本発明の実施の形態１におけるスピーカーが取り付けられた箱体の斜視図であり、図４は本発明の実施の形態１におけるスピーカーを取り付けられた箱体の断面図であり、図５は本発明の実施の形態１における加熱調理器の箱体取り付け部の断面図である。
【００２８】
図３において、箱体８の箱体上ケース８ａと箱体下ケース８ｂで構成されており、箱体上ケース８ａと箱体下ケース８ｂとの合わせ位置は箱体８の下側の稜となっている。箱体８の上面の一部はスピーカー７によって形成されており、スピーカー７は箱体８の上面から凹んだ位置に配置されている。
【００２９】
図４において、スピーカー７は箱体上ケース８ａにスピーカー固定部品１１を用いて取り付けられている。
【００３０】
図５において、箱体８は底面を形成する箱体下ケース８ｂが調理器本体２に対して浮かした状態で取り付けられている。
【００３１】
以上の構成の作用として、箱体８を形成する箱体上ケース８ａと箱体下ケース８ｂの合わせ位置を箱体８下側の稜としたことにより箱体８の全ての外郭面がそれぞれ一体もので形成されることで、箱体８の共振効果が向上し音質の確保が容易となる。
【００３２】
また、箱体８の外郭面のなかでスピーカー７の振動を最も受けるボイスコイルに対向する底面を一部品で形成し振動しやすくすることで、箱体８の共振効果が向上し音質の確保
が容易となる。また箱体８の外郭面を調理器本体２に対して浮かした状態で取り付けたことにより箱体８の外郭面の全てが振動可能となるため、箱体の共振効果が向上し音質の確保が容易となる。
【００３３】
またスピーカー７を箱体８の上面から凹んだ位置に配置することにより、使用者に対する箱体８の共振面の位置は変えることなくスピーカー７のみを調理中に高温となるトッププレート部１から離すことが可能となり、必要な音質を確保しつつスピーカー７への熱負荷を軽減できる。
【産業上の利用可能性】
【００３４】
以上のように、本発明にかかる加熱調理器は製品内部など音が響き難い位置にスピーカーを配置しても音質の確保が可能となるので、音声機能を必要としスピーカーの配置に制約がある水まわりで使用する電気機器等の用途にも適用できる。
【符号の説明】
【００３５】
１  トッププレート部
２  調理器本体
３  操作部
４  操作基板
５  操作ボタン
６  表示パネル
７  スピーカー
７ａ  ボイスコイル
８  箱体
８ａ  箱体上ケース
８ｂ  箱体下ケース
９  加熱コイル
１０  後部加熱源
１１  スピーカー固定部品
【図１】
0005861051.tif 000002
【図２】
0005861051.tif 000003
【図３】
0005861051.tif 000004
【図４】
0005861051.tif 000005
【図５】
0005861051.tif 000006
【図６】
0005861051.tif 000007
【図７】
0005861051.tif 000008